(57)【要約】【課題】消費電力を低減することにより使用時間をより長くすることのできる携帯機器を実現すること。【解決手段】  音声の出力機能を備える携帯機器において、音声出力を実行する音声パスと、前記音声パスによる音声出力動作および電源を制御し、前記音声パスによる音声出力動作が行われないときには前記音声パスの電源をオフとする音響デバイスとを有する。【選択図】図２
2008282134.tif 000002
【特許請求の範囲】
【請求項１】
音声の出力機能を備える携帯機器において、
音声出力を実行する音声パスと、
前記音声パスによる音声出力動作および電源を制御し、前記音声パスによる音声出力動作が行われないときには前記音声パスの電源をオフとする音響デバイスとを有することを特徴とする携帯機器。
【請求項２】
請求項1記載の携帯機器において、
音響デバイスは、携帯機器に内蔵されているアプリケーションソフトウェアが実行されているときであって、音声パスによる音声出力動作が行われないときには前記音声パスの電源をオフとすることを特徴とする携帯機器。
【請求項３】
請求項１または請求項２記載の携帯機器において、
音響デバイスは、音声パスによる音声出力動作が行われない時間が所定時間経過後に前記音声パスの電源をオフとすることを特徴とする携帯機器。
【請求項４】
音声の出力機能を備える携帯機器の消費電力低減方法において、
音声出力を実行する音声パスによる音声出力動作が行われないときには前記音声パスの電源をオフとすることを特徴とする携帯機器の消費電力低減方法。
【請求項５】
請求項４記載の携帯機器の消費電力低減方法において、
携帯機器に内蔵されているアプリケーションソフトウェアが実行されているときであって、音声パスによる音声出力動作が行われないときには前記音声パスの電源をオフとすることを特徴とする携帯機器の消費電力低減方法。
【請求項６】
請求項４または請求項５記載の携帯機器の消費電力低減方法において、
音声パスによる音声出力動作が行われない時間が所定時間経過後に前記音声パスの電源をオフとすることを特徴とする携帯機器の消費電力低減方法。
【発明の詳細な説明】
【技術分野】
【０００１】
本発明は携帯機器に関し、特に、音声出力動作を行う携帯機器に関する。
【背景技術】
【０００２】
字幕つき映像情報を再生する装置として、特許文献１（特開２００６−１９７８３号公報）に開示される発明がある。
【０００３】
特許文献１に開示される発明は、消音機能を有する再生装置を、消音を開始するタイミングをユーザが任意に決定できない場合に適用すると、ユーザが取得する情報に不整合が生じることを問題点として認識するもので、デコードされた文字情報の表示開始を決定するステップと、映像情報の音声出力の消音を決定するステップと、映像情報の音声出力を消音するステップと、映像情報とは異なる第２の情報の音声を出力するステップとを備えている。
【０００４】
上記のような音声出力の停止についてその動作を示す図７を参照して説明する。
【０００５】
図７に示す例は、アプリケーションソフトウェアにより動作を行うものであり、図７には、上から順に、アプリケーションソフトウェア（図中ではアプリケーションソフト）、アプリケーションソフトウェアによる音声出力（制御状態）、これによる実際の音声出力、音声出力を行うための音声パス、それぞれの動作状態が示されている。
【０００６】
図７に示すように、アプリケーションソフトウェアによる音声出力に応じて音声の出力、停止が行われるが、音声出力を行っていない時間（タイミングＴ２０１〜Ｔ２０３の間やＴ２０５以降）も音声パスは動作状態とされている。
【特許文献１】特開２００６−１９７８３号公報
【発明の開示】
【発明が解決しようとする課題】
【０００７】
上述した従来の技術においては、音声出力が行われない状態であっても音声パスは動作状態とされている。このため、余分な電流を消費していた。商用電源に接続されている状態で使用される機器であれば、このような消費電力は特に問題とはならないが、携帯型音楽プレーヤや携帯電話機などのバッテリー駆動の携帯機器の場合にはこのような電流消費は使用時間が短くなるという問題を招来することとなる。
【０００８】
本発明は、上述したような従来技術が有する問題点に鑑みてなされたものであって、消費電力を低減することにより使用時間をより長くすることのできる携帯機器を実現することを目的とする。
【課題を解決するための手段】
【０００９】
本発明による携帯機器は、音声の出力機能を備える携帯機器において、
音声出力を実行する音声パスと、
前記音声パスによる音声出力動作および電源を制御し、前記音声パスによる音声出力動作が行われないときには前記音声パスの電源をオフとする音響デバイスとを有する。
【発明の効果】
【００１０】
上記のように構成される本発明においては、音声出力を行っていない時間は音声パスを停止することによって、アプリケーションソフト使用中の電流を削減することができる。
【発明を実施するための最良の形態】
【００１１】
本発明の特徴は、携帯電話機内蔵のアプリケーションソフト（以下内蔵アプリ）使用時の動作として、メモリ内部の内蔵アプリファイルにアクセスすることをトリガとして本発明の動作を開始し、内蔵アプリの音声出力を行っていない時間は音響デバイスを制御し音声パスを停止することによって消費電流を削減し、携帯電話機の省電力化を行うことである。
【００１２】
次に、本発明の実施例について図面を参照して説明する。
【００１３】
図１は本発明による携帯電話機の一実施例の構成を示すブロック図である。
【００１４】
本実施例は、キーボード１００、メモリ１１０、制御部１２０、ディスプレイ１３０、無線部１４０、アンテナ１４５、マイク１５０、スピーカ１６０、音声の入出力や音響関係のデバイスを制御する音響デバイス１６５、音声の入出力を行う音声パス１６７、カメラ１７０、ＧＰＳモジュール１８０、動作電源となる電地１９０から構成されている。
【００１５】
メモリ１１０は、内蔵アプリを格納している。内蔵アプリは携帯電話機にあらかじめ入っているアプリケーションソフトのことを示し、ダウンロード等によってユーザが携帯電話機購入後に入れるアプリケーションソフトや、携帯電話機に接続する外部機器から起動するアプリケーションソフトのことは示さない。
【００１６】
なお、本実施例の説明で用いる内蔵アプリは、ＧＰＳを使用して測位を行い、音声による道案内を行うＧＰＳナビゲーションソフトである。ＧＰＳとはGlobal Positioning Systemの略であり、地球上の現在位置を調べるための衛星測位システムのことである。以後、本実施例の説明において内蔵アプリのＧＰＳナビゲーションソフトのことを内蔵ナビアプリと呼ぶこととする。
【００１７】
制御部１２０は、内蔵ナビアプリを制御する機能と、ＧＰＳモジュール１８０を用いて測位を行う機能と、取得した測位情報によって音声案内が必要な場合はその情報を音響デバイス１６５に通知する機能を持つ。
【００１８】
ＧＰＳモジュール１８０は、ＧＰＳ衛星と通信を行い測位結果を取得する機能を持つ。スピーカ１６０は、音声を出力する機能を持つ。音響デバイス１６５は、音声パス１６７を制御する機能を持つ。音声パス１６７は、制御部１２０からの音声情報をスピーカ１６０に出力する機能を持つ。
【００１９】
音声パス１６７は、マイク１５０からのアナログ音声信号をデジタル音声信号に変換して制御部１２０へ送るためのＡ／Ｄコンバータや、制御部１５０からのデジタル音声信号をアナログ音声信号に変換してスピーカ１６０へ送るためのＤ／Ａコンバータを備えるもので、音響デバイス１６５の制御によりこれらの変換動作を行い、また、その電源がオンオフされる。
【００２０】
本実施例の説明で使用する音声とは、人の声だけでなく効果音やメロディ等の音全般を示す。また、一般に音声を使用する装置の説明では、入力される場合と出力される場合があるが、本実施例では出力の場合について説明する。
【００２１】
音声を出力するためには、制御部１２０が音声情報を音響デバイス１６５に送信し、音響デバイス１６５が音声パス１６７を起動し、スピーカ１６０が音声を出力する必要がある。音声出力を行おうとしてから実際に音声出力を行うまでに時間がかかることがあり、従来のアプリケーションソフト（例えばレースゲームやシミュレーションゲーム等）ではわずかに音声が遅れ、ユーザ使用に支障が出てしまう。このため、音声出力を行っていない場合に音声パス１６７の停止を行っていなかった。しかし本実施例で用いる内蔵ナビアプリのようなアプリケーションソフトは、わずかに音声が遅れてもユーザ使用には影響がほとんどないと考えられる。
【００２２】
図２および図３のそれぞれは本実施例の動作を示すフローチャートおよびシーケンス図である。以下に、図１ないし図３を参照して本実施例の動作について説明する。
【００２３】
図２のステップＳ３０１において、ユーザが内蔵ナビアプリを選択した場合は、制御部１２０はメモリ１１０に格納されている内蔵ナビアプリファイルにアクセスし、内蔵ナビアプリを起動する（図３のタイミングＴ４０１）。本実施例ではこのアクセスをトリガとして動作を開始する。
【００２４】
ユーザが内蔵ナビアプリ以外、例えば音声の出力と停止を頻繁に行う可能性がある他の内蔵アプリや、予め内容がわかっていないダウンロードアプリケーションソフト等を起動する場合は本実施例の動作を行わない。これは本実施例の動作によって音声が出ないという誤作動を防ぐためとする。
【００２５】
続くステップＳ３０３では音声出力設定の有無を確認する。例えば、内蔵ナビアプリの設定が音声出力を行わないようにしてある場合や、マナーモード等の携帯電話機の設定によって音声出力を行わないようにしてある場合には、本実施例の動作を行わないものとする。
【００２６】
ユーザが内蔵ナビアプリを起動して行き先等を決定すると、制御部１２０は内蔵ナビアプリ内に登録してある「ナビを開始します」等の音声メッセージを音響デバイス１６５に送信する。これを受けて、音響デバイス１６５はステップＳ３０５において、音声パス１６７を起動させて音声をスピーカ１６０に送信し、ステップＳ３０７において、スピーカ１６０は音声出力を開始する（タイミングＴ４０３）。
【００２７】
ステップＳ３０９において音声出力が停止すると（タイミングＴ４０５）、ステップＳ３１１において音響デバイス１６５は音声パス１６７を停止させる（タイミングＴ４０７）。
【００２８】
音声パス１６７を停止後に、音響デバイス１６５は音声出力を再開するかの確認を行い（ステップＳ３１３）、音声出力を再開する場合には、ステップＳ３０５に戻り、音声パス１６７を起動して音声出力を再開する（タイミングＴ４０９）。
【００２９】
ステップＳ３１３において音声出力を再開しないことが確認された場合には本実施例の動作を終了する。
【００３０】
本発明の第１の実施例の効果は、内蔵ナビアプリ使用中の不要な音声パスを停止することによって、消費電流を削減できることである。また、本発明の対象を内蔵ナビアプリに限定することによって、音声の出力と停止を頻繁に行う可能性がある他の内蔵アプリ使用時や、どのようなアプリケーションソフトかがあらかじめわからないダウンロードアプリケーションソフト使用時に音声が出ないという誤作動を防ぐことができる。
【００３１】
次に、本発明の第２の実施例について図１、図４のフローチャート、図５および図６を参照して詳細に説明する。
【００３２】
図５（ａ）を参照し、音声出力を連続して行う場合を考える。音声出力を連続して行う場合に期待する動作は、図５（ａ）のタイミングＴ６１で音声出力を開始し、タイミングＴ６２で音声出力を停止し、タイミングＴ６３で音声出力を開始し、と続く。
【００３３】
しかし、実際には図5（ｂ）に示すように、音声パス１６７の起動と停止にわずかに時間がかかるため、本発明の第１の実施例ではタイミングＴ６５で音声出力を開始し、タイミングＴ６６で音声出力が停止し、タイミングＴ６７で音声パス１６７を停止し、タイミングＴ６８で音声パス１６７を起動し、タイミングＴ６９で音声出力を開始する動作となる。そのため音声出力が連続すればするほど、音声出力のタイミングが遅れてしまうことになる。
【００３４】
そこで本発明の第２の実施例では、音声出力を停止してから音声パスを停止するまでのタイマーを持ち、音声出力のタイミング遅れを解消することである。
【００３５】
図４のフローチャートを参照して、本実施例の動作について説明する。図４のステップＳ５０１の内蔵ナビアプリを起動してからステップＳ５０７の音声出力を開始するまでのステップＳ５０１，Ｓ５０３，Ｓ５０５，Ｓ５０７における動作は、本発明の第１の実施例の動作を示す図２のステップＳ３０１，Ｓ３０３，Ｓ３０５，Ｓ３０７におけるそれぞれの動作と同様である。
【００３６】
ステップＳ５０９において音声出力を停止すると（図６におけるタイミングＴ７２）、制御部１２０は音声パス１６７を停止させるタイマー（ここでは３秒とする）を開始する。
【００３７】
ステップＳ５１０においてはタイマーがカウントアップする前（音声出力停止後３秒が経過する前）に音声出力が再開するかの確認を行い、３秒が経過する前に音声出力を再開する場合は、ステップＳ５０７に戻って音声出力を再開する（タイミングＴ７３）。
【００３８】
ステップＳ５１０において、タイマーがカウントアップするまで音声出力が再開しないことが確認された場合（タイミングＴ７４）には、ステップＳ５１１において、音響デバイス１６５は音声パス１６７を停止させる（タイミングＴ７５）。
【００３９】
この後、図２のステップＳ３１３と同様に、音響デバイス１６５は音声出力を再開するかの確認を行い（ステップＳ５１３）、音声出力を再開する場合には、ステップＳ５０５に戻り、音声パス１６７を起動して音声出力を再開する。
【００４０】
本発明の第２の実施例の効果は、音声出力を停止してから音声パスを停止するまでにタイマーを持つことによって、音声出力を連続して行う場合でも音声出力のタイミングの遅れを生じさせないことである。
【００４１】
なお、以上説明した各実施例では、内蔵アプリの場合に本発明による制御動作を適用するものとして説明したが、アプリケーションソフトウェアの種類を確認し、確認した種類に応じて本発明による制御動作を適用するとしてもよい。また、将来的には携帯機器自体の動作がより高速化することが予想される。このため、すべてのアプリケーションソフトウェアに本発明による制御動作を適用するとしてもよい。
【図面の簡単な説明】
【００４２】
【図１】本発明の一実施例の構成を示すブロック図である。
【図２】本発明の第１の実施例の動作を示すフローチャートである。
【図３】本発明の第１の実施例の動作タイミングを示す図である。
【図４】本発明の第２の実施例の動作を示すフローチャートである。
【図５】本発明の第２の実施例の動作タイミングを説明するための図である。
【図６】本発明の第２の実施例の動作タイミングを示す図である。
【図７】従来例の動作タイミングを示す図である。
【符号の説明】
【００４３】
１００    キーボード
１１０    メモリ
１２０    制御部
１３０    ディスプレイ
１４０    無線部
１４５    アンテナ
１５０    マイク
１６０    スピーカ
１６５    音響デバイス
１６７    音声パス
１７０    カメラ
１８０    ＧＰＳモジュール
１９０    電地
【図１】
2008282134.tif 000003
【図２】
2008282134.tif 000004
【図３】
2008282134.tif 000005
【図４】
2008282134.tif 000006
【図５】
2008282134.tif 000007
【図６】
2008282134.tif 000008
【図７】
2008282134.tif 000009